【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
所定のデータが書き込まれている記録済メディアのエラーレートを測定するエラーレート測定部と、
前記エラーレート測定部による測定結果が、予め設定された所定の閾値以下か否かを判定するエラーレート判定部と、
前記エラーレート判定部による判定の結果、前記測定結果が前記所定の閾値を超過した場合、前記記録済メディアに記録されている前記所定のデータを、他のメディアに書き込むデータ書き込み部と、を備えたことを特徴とするメディア処理システム。
【請求項２】
メディアのレーベル面に印刷を行なうレーベル印刷部と、
前記記録済メディアのレーベル面に印刷されている情報であるレーベル情報を取得するレーベル情報取得部と、をさらに備え、
前記レーベル印刷部は、
前記エラーレート判定部による判定の結果、前記測定結果が前記所定の閾値を超過した場合、前記他のメディアのレーベル面に、前記レーベル情報に基づく印刷を実行することを特徴とする請求項１に記載のメディア処理システム。
【請求項３】
前記レーベル印刷部は、
前記エラーレート判定部による判定の結果、前記測定結果が前記所定の閾値を超過した場合、前記記録済メディアのレーベル面に、その旨を示す情報を印刷することを特徴とする請求項２に記載のメディア処理システム。
【請求項４】
前記レーベル印刷部は、
前記エラーレート判定部による判定の結果、前記測定結果が前記所定の閾値以下である場合、前記記録済メディアのレーベル面に、測定した前記エラーレートに関するエラーレート情報を印刷することを特徴とする請求項２または３に記載のメディア処理システム。
【請求項５】
前記エラーレート情報には、
前記エラーレートの最大値および前記エラーレートを示すグラフの内の、少なくとも一方が含まれていることを特徴とする請求項４に記載のメディア処理システム。
【請求項６】
前記エラーレート測定部、前記データ書き込み部および前記レーベル印刷部を有するメディア処理装置と、前記エラーレート判定部および前記レーベル情報取得部を有する情報処理装置と、から成り、前記メディア処理装置と前記情報処理装置とは通信可能に接続されていることを特徴とする請求項２ないし５のいずれか１項に記載のメディア処理システム。
【請求項７】
所定のデータが書き込まれている記録済メディアのエラーレートを測定するエラーレート測定ステップと、
前記エラーレート測定ステップによる測定結果が、予め設定された所定の閾値以下か否かを判定するエラーレート判定ステップと、
前記エラーレート判定ステップによる判定の結果、前記測定結果が前記所定の閾値を超過した場合、前記記録済メディアに記録されている前記所定のデータを、他のメディアに書き込むデータ書き込みステップと、を実行することを特徴とするメディア処理システムの制御方法。
【請求項８】
メディアのレーベル面に印刷を行なうレーベル印刷ステップと、
前記記録済メディアのレーベル面に印刷されている情報であるレーベル情報を取得するレーベル情報取得ステップと、をさらに備え、
前記レーベル印刷ステップは、
前記エラーレート判定ステップによる判定の結果、前記測定結果が前記所定の閾値を超過した場合、前記他のメディアのレーベル面に、前記レーベル情報に基づく印刷を実行することを特徴とする請求項７に記載のメディア処理システムの制御方法。
【請求項９】
前記レーベル印刷ステップは、
前記エラーレート判定ステップによる判定の結果、前記測定結果が前記所定の閾値を超過した場合、前記記録済メディアのレーベル面に、その旨を示す情報を印刷することを特徴とする請求項８に記載のメディア処理システムの制御方法。
【請求項１０】
前記レーベル印刷ステップは、
前記エラーレート判定ステップによる判定の結果、前記測定結果が前記所定の閾値以下である場合、前記記録済メディアのレーベル面に、測定した前記エラーレートに関するエラーレート情報を印刷することを特徴とする請求項８または９に記載のメディア処理システムの制御方法。
【請求項１１】
所定のデータが書き込まれている記録済メディアのエラーレートを測定するエラーレート測定部と、
前記エラーレート測定部による測定結果が、予め設定された所定の閾値を超過した場合、前記記録済メディアに記録されている前記所定のデータを、他のメディアに書き込むデータ書き込み部と、を備えたことを特徴とするメディア処理装置。
【請求項１２】
メディアのレーベル面に印刷を行なうレーベル印刷部をさらに備え、
前記レーベル印刷部は、
前記測定結果が前記所定の閾値を超過した場合、前記他のメディアのレーベル面に、前記記録済メディアのレーベル面に印刷されている情報であるレーベル情報に基づく印刷を実行することを特徴とする請求項１１に記載のメディア処理装置。
【請求項１３】
前記レーベル印刷部は、
前記測定結果が前記所定の閾値を超過した場合、前記記録済メディアのレーベル面に、その旨を示す情報を印刷することを特徴とする請求項１２に記載のメディア処理装置。
【請求項１４】
前記レーベル印刷部は、
前記測定結果が前記所定の閾値以下である場合、前記記録済メディアのレーベル面に、測定した前記エラーレートに関するエラーレート情報を印刷することを特徴とする請求項１２または１３に記載のメディア処理装置。
【手続補正２】
【補正対象書類名】明細書
【補正対象項目名】発明の名称
【補正方法】変更
【補正の内容】
【発明の名称】メディア処理システム、メディア処理システムの制御方法およびメディア処理装置
【手続補正３】
【補正対象書類名】明細書
【補正対象項目名】０００１
【補正方法】変更
【補正の内容】
【０００１】
本発明は、メディアに対しデータの書き込み、およびレーベル面の印刷を行なうことが可能なメディア処理システム、メディア処理システムの制御方法およびメディア処理装置に関するものである。
【手続補正４】
【補正対象書類名】明細書
【補正対象項目名】０００５
【補正方法】変更
【補正の内容】
【０００５】
本発明は上記の問題に鑑み、メディアの劣化状態に基づいて、当該メディアの複製を作成することができるメディア処理システム、メディア処理システムの制御方法およびメディア処理装置を提供することを目的とする。
【手続補正５】
【補正対象書類名】明細書
【補正対象項目名】０００９
【補正方法】変更
【補正の内容】
【０００９】
本発明のメディア処理システムにおいて、メディアのレーベル面に印刷を行なうレーベル印刷部と、記録済メディアのレーベル面に印刷されている情報であるレーベル情報を取得するレーベル情報取得部と、をさらに備え、レーベル印刷部は、エラーレート判定部による判定の結果、測定結果が所定の閾値を超過した場合、他のメディアのレーベル面に、レーベル情報に基づく印刷を実行することが好ましい。
【手続補正６】
【補正対象書類名】明細書
【補正対象項目名】００１７
【補正方法】変更
【補正の内容】
【００１７】
この構成によれば、メディア処理システムの各部（各機能）をメディア処理装置単体で構成する場合に比べ、メディア処理装置の負荷を低減することができる。
本発明のメディア処理システムの制御方法において、メディアのレーベル面に印刷を行なうレーベル印刷ステップと、記録済メディアのレーベル面に印刷されている情報であるレーベル情報を取得するレーベル情報取得ステップと、をさらに備え、レーベル印刷ステップは、エラーレート判定ステップによる判定の結果、測定結果が所定の閾値を超過した場合、他のメディアのレーベル面に、レーベル情報に基づく印刷を実行することが好ましい。
本発明のメディア処理システムの制御方法において、レーベル印刷ステップは、エラーレート判定ステップによる判定の結果、測定結果が所定の閾値を超過した場合、記録済メディアのレーベル面に、その旨を示す情報を印刷することが好ましい。
本発明のメディア処理システムの制御方法において、レーベル印刷ステップは、エラーレート判定ステップによる判定の結果、測定結果が所定の閾値以下である場合、記録済メディアのレーベル面に、測定したエラーレートに関するエラーレート情報を印刷することが好ましい。
本発明のメディア処理装置は、所定のデータが書き込まれている記録済メディアのエラーレートを測定するエラーレート測定部と、エラーレート測定部による測定結果が、予め設定された所定の閾値を超過した場合、記録済メディアに記録されている所定のデータを、他のメディアに書き込むデータ書き込み部と、を備えたことを特徴とする。
本発明のメディア処理装置において、メディアのレーベル面に印刷を行なうレーベル印刷部をさらに備え、レーベル印刷部は、測定結果が所定の閾値を超過した場合、他のメディアのレーベル面に、記録済メディアのレーベル面に印刷されている情報であるレーベル情報に基づく印刷を実行することが好ましい。
本発明のメディア処理装置において、レーベル印刷部は、測定結果が所定の閾値を超過した場合、記録済メディアのレーベル面に、その旨を示す情報を印刷することが好ましい。
本発明のメディア処理装置において、レーベル印刷部は、測定結果が所定の閾値以下である場合、記録済メディアのレーベル面に、測定したエラーレートに関するエラーレート情報を印刷することが好ましい。